(57)【要約】【課題】簡便な操作のもとで計量を行うことが可能で、計量に係わる内容物のみを確実にしかも簡単に注出できる新規な定量注出器を提供する。【解決手段】本発明の定量注出器は、容器１の口部１ａを覆う基体２と、基体２を取り囲むノズルヘッド３と、ノズルヘッド３の内側に配置されるスライダー４との協働で、内容物を一時貯留する予備空間Ｂと内容物を定量貯留する貯留空間Ｂを形成するとともに、容器１の口部の外側において係合保持されるオーバーキャップ５とを備えたものであり、スライダー４に容器の内部とつながる貫通孔２ｂを閉鎖、開放する弁体４ｂと、基体２の中央周壁２ｂとの連係でもって貯留空間Ｂの内容物を外界への注出、遮断を司る貫通孔４ｅを設け、オーバーキャップ５にスライダー４の管状凸部４ｄと対応する爪部５ｂを形成したことを特徴とする。【選択図】図１
2011178414.tif 000002
【特許請求の範囲】
【請求項１】
容器内の内容物の定量取入れを可能とする貯留空間を備え、注出開口を通して貯留空間内の内容物を注出する定量注出器であって、
容器内の内容物を通過させる貫通孔を有し容器の口部を覆う底壁を備える基体と、前記基体を取り囲む筒体に上部開口を形成し容器の口部において該基体とともに係合保持するノズルヘッドと、前記ノズルヘッドの内側に配置され前記基体及びノズルヘッドと協働して内容物を一時貯留する予備空間を形成するとともに該ノズルヘッドの上部開口から頭部を突出させるスライダーと、前記スライダーの頭部と当接し前記ノズルヘッドを取り囲んで容器の口部の外側において係合保持されるオーバーキャップと、を備え、
前記基体の底壁は、前記スライダーを摺動可能とする中央開口と、該中央口部の縁から立ち上がり内容物の外部への注出と遮断を司る中央周壁と、該底壁から起立する側壁との連携にて前記予備空間とつながる貯留空間を形成する上向き開放の凹部とを備え、
前記スライダーは、前記基体の中央開口を貫通するスライダー本体と、前記基体の下方に位置し該スライダー本体と連結して前記基体の貫通孔を閉鎖、開放する弁体と、該スライダー本体の上部に設けられ内容物の流路を形成する管状体を有し、
前記管状体に、該管状体の頭部外周に設けられ前記オーバーキャップの爪部と係合する環状凸部と、該管状体の側部に設けた貫通孔を通して貯留空間内の内容物を内部に導入し該管状体の頭部先端から外界へ注出する注出開口とを設けたことを特徴とする定量注出器。
【請求項２】
前記スライダーの弁体は、前記スライダー本体の下端を基点に容器底壁に向けて漸次に拡径する円錐台状のシール壁面を有し、
前記基体の底壁に、前記スライダー本体を取り囲んで垂下され、前記スライダーの移動に伴って先端部が前記シール壁面と当接して前記基体の貫通孔を閉鎖する環状体を設けたことを特徴とする請求項１記載の定量注出器。
【発明の詳細な説明】
【技術分野】
【０００１】
本発明は、容器内の内容物を一回使用する分だけ取り出すのに好適な、定量注出器に関するものである。
【背景技術】
【０００２】
例えば育毛剤の如き薬剤等、一回の使用量が定められているものは、容器内の内容物を取り出すに際して計量する必要があり、従来は、中栓に配置された円筒部を適宜上下動させ、第一弁及び第二弁を交互に開閉して容器内の内容物を計量筒部に流し込み、該計量筒部内の内容物を注出開口を通して外部へ排出するようにしていた（例えば、特許文献1参照）。
【先行技術文献】
【特許文献】
【０００３】
【特許文献１】特開２００２−３３７９１０号公報
【発明の概要】
【発明が解決しようとする課題】
【０００４】
ところで、上記のような従来の定量注出器においては、計量にかかわる内容物を注出している最中に、弁体に不用意な力が作用すると該弁体が簡単にスライドしてしまい、容器と計量筒部とを隔絶する弁が開放されることもあって、この場合、計量筒部内に必要以上の内容物が流れ込んでしまい定量注出ができない懸念があった。また容器から内容物を注出する際には、容器を上下逆さまにした後ノズルの先端を被塗布部と接触させ、容器を押し込むことが必要であり、例えば皮膚に傷がある場合等、被塗布部と直接触れさせたくない場合に上記注出器は採用し難く、このような状態にも対応しうる新たな定量注出器が求められていた。
【０００５】
本発明の課題は、簡便な操作のもとで計量を行うことが可能で、計量に係わる内容物のみを確実にしかも簡単に注出できる新規な定量注出器を提案するところにある。
【課題を解決するための手段】
【０００６】
本発明は、容器内の内容物の定量取入れを可能とする貯留空間を備え、注出開口を通して貯留空間内の内容物を注出する定量注出器であって、
容器内の内容物を通過させる貫通孔を有し容器の口部を覆う底壁を備える基体と、前記基体を取り囲む筒体に上部開口を形成し容器の口部において該基体とともに係合保持するノズルヘッドと、前記ノズルヘッドの内側に配置され前記基体及びノズルヘッドと協働して内容物を一時貯留する予備空間を形成するとともに該ノズルヘッドの上部開口から頭部を突出させるスライダーと、前記スライダーの頭部と当接し前記ノズルヘッドを取り囲んで容器の口部の外側において係合保持されるオーバーキャップと、を備え、
前記基体の底壁は、前記スライダーを摺動可能とする中央開口と、該中央口部の縁から立ち上がり内容物の外部への注出と遮断を司る中央周壁と、該底壁から起立する側壁との連携にて前記予備空間とつながる貯留空間を形成する上向き開放の凹部とを備え、
前記スライダーは、前記基体の中央開口を貫通するスライダー本体と、前記基体の下方に位置し該スライダー本体と連結して前記基体の貫通孔を閉鎖、開放する弁体と、該スライダー本体の上部に設けられ内容物の流路を形成する管状体を有し、
前記管状体に、該管状体の頭部外周に設けられ前記オーバーキャップの爪部と係合する環状凸部と、該管状体の側部に設けた貫通孔を通して貯留空間内の内容物を内部に導入し該管状体の頭部先端から外界へ注出する注出開口とを設けたことを特徴とする定量注出器である。
【０００７】
前記スライダーの弁体は、前記スライダー本体の下端を基点に容器底壁に向けて漸次に拡径する円錐台状のシール壁面を有し、
前記基体の底壁に、前記スライダー本体を取り囲んで垂下され、前記スライダーの移動に伴って先端部が前記シール壁面と当接して前記基体の貫通孔を閉鎖する環状体を設けることが望ましい。
【発明の効果】
【０００８】
容器に内容物を一時貯留する予備空間と、この予備空間とつながる貯留空間を形成し、容器を注出開口を上方に向けた姿勢（以下、正姿勢という）から注出開口を下方に向けた姿勢（以下、逆姿勢という）にして内容物を予備空間に導入した後、再度正姿勢とすることで予備空間の内容物を貯留空間に移すことができ、容器の姿勢変更だけで内容物を計量することが可能となる。またオーバーキャップの取り外しに伴って貯留空間が外界と開通し、そのまま容器を逆姿勢にするだけで貯留空間の内容物を注出できるので、容器が被塗布部と触れることなく簡便な操作で定量の内容物を滴下させることが可能となる。
【０００９】
円錐台状のシール壁面を有する弁体を、環状体当接して基体の貫通孔を閉鎖するようにしたので、容器の内部空間と貯留空間とを確実に遮断することができる。
【図面の簡単な説明】
【００１０】
【図１】本発明にしたがう定量注出器の実施の形態につき、容器に取り付けた状態を示す要部の断面図である。
【図２】本発明にしたがう定量注出器の実施の形態につき、図１の状態から容器を逆姿勢にした状態を示す断面図である。
【図３】本発明にしたがう定量注出器の実施の形態につき、図２の状態から容器を正姿勢にした状態を示す断面図である。
【図４】本発明にしたがう定量注出器の実施の形態につき、図３の状態からオーバーキャップを取り外した状態を示す断面図である。
【図５】本発明にしたがう定量注出器の実施の形態につき、容器を傾けて貯留空間に溜まった内容物を注出する状態を示す断面図である。
【発明を実施するための形態】
【００１１】
以下、図面を参照して、本発明をより具体的に説明する。
図１は本発明にしたがう定量注出器の実施の形態につき、容器に取り付けた状態を示す要部の断面図である。
【００１２】
図１における１は、内容物の充填空間Ｍを区画形成する容器である。容器１は、上部開口する小径筒体からなる口部１ａを有している。
【００１３】
２は基体である。この基体２は、容器１の口部１ａを覆う底壁２ａと、底壁２ａを貫いて容器内の内容物を通過させる貫通孔２ｂ（単数でも複数でもよい）を備えている。底壁２ａには、後述するスライダーを上下に摺動可能とする中央開口２ｃと、この中央開口２ｃの縁部から立ち上がる中央周壁２ｄと、貫通孔２ｂの外側から起立する側壁２ｅと、貫通孔２ｂを取り囲んで垂下する環状体２ｆと、底壁２ａの外縁近傍から垂下し容器の口部１ａの内側で当接して基体２の位置決めとなる外側周壁２ｇが形成されている。図示の例では側壁２ｅ、環状体２ｆ、外側周壁２ｇとも中央開口２ｃを取り囲む環状となっている。また基体２は、外側周壁２ｇと容器の口部１ａとが係合するようにして容器の口部において固定されるようにしてもよい。
【００１４】
３は、基体２の上部に位置するノズルヘッドである。このノズルヘッド３は、基体２を取り囲む筒体３ａと、上部開口する小径筒体からなる上部開口３ｂを備えている。ノズルヘッド３は、筒体３ａの外側から基体２の底壁２ａ及び容器１の口部１ａを取り囲むとともに基体２との位置決めとなる段差を形成して垂下させた外側周壁３ｃを有し、この外側周壁３ｃの内側に口部１ａの上部外側に設けた突部１ｂに対応する爪部３ｄを備えている。これによりノズルヘッド３は、基体２とともに容器の口部１ａに位置決めしつつ係合保持することが可能である。ノズルヘッド３の保持方法としてはアンダーカット係合だけでなく、ねじ係合であってもよい。また図示の例では、基体２の底壁２ａとこれを取り囲む環状の側壁２ｅ及び筒体３ａとで上向き開放となる凹部を形成し、定量の内容物を溜める貯留空間Ａをなしている。上向き開放となる凹部の形状は上記の例に限られず、基体２の底壁２ａから側壁２ｅを取り囲む別の側壁を立ち上げて、この２つの側壁の相互間で形成してもよいし、１つの環状の側壁で凹部を形成し、これを中心開口２ｃの周りに単数又は複数配置するようにしてもよい。また側壁は環状だけに限られず、矩形状であってもよい。
【００１５】
４は、ノズルヘッド３の内側に配置され、基体２及びノズルヘッド３と協働して貯留空間Ａとつながる予備空間Ｂを形成するとともに、ノズルヘッド３の上部開口３ｂから頭部を突出させるスライダーである。スライダー４は、基体２の中央開口２ｃを貫通するスライダー本体４ａと、基体２の下方に位置しスライダー本体４ａと連結する弁体４ｂと、スライダー本体４ａの上部に設けられ内容物の流路を形成する管状体４ｃを備えている。スライダー４は、下部においてスライダー本体４ａが中央開口２ｃ及び中央周壁２ｄとの相互間で摺動可能であり、上部において管状体４ｃと上部開口３ｂとの相互間で摺動可能であるので、傾くことなく上下に移動可能となっている。弁体４ｂは、図示の例ではスライダー本体４ａの下端を基点に容器の底壁に向けて漸次に拡径する円錐台状のシール壁面４ｂ１を有しており、スライダー４が最も上方へ移動したスライダー上方位置において、環状体２ｆの先端部と当接して貫通孔２ｂを閉鎖することが可能である。弁体４ｂは下方が開口しており、環状体２ｆとは多少の弾性をもって当接することができるので、容器１の内部と予備空間Ｂを確実に遮断することができる。またこれにより管状体２ｆの多少の高さのばらつきも吸収することができ、製造時の寸法管理も容易となる。なお貫通孔２ｂを閉鎖するにあたっては、弁体４ｂが基体２の底壁２ａに直接当たるようにしてもよい。管状体４ｃは、管状体４ｃの頭部の外周に環状凸部４ｄを有するとともに、側部に貫通孔４ｅ(単数でも複数でもよい)を設けている。貫通孔４ｅは、スライダー４が最も下方へ移動したスライダー下方位置においては、中央周壁２ｄによって閉栓されており、スライダー上方位置においては中央周壁２ｄよりも上昇して開栓し、貯留空間Ａの内容物を管状体４ｃの内部に導入して管状体４ｃの頭部先端の注出開口４ｆから外界へ注出することができる。なお図示はしないが、スライダー４は、基体２又はノズルヘッド３の少なくとも１つと係合して下方への抜け止めとなるストッパーを備えているので、使用に際して落下してしまうことはない。
【００１６】
５は、スライダー４の頭部と当接して注出開口４ｆを閉栓するオーバーキャップである。オーバーキャップ５は、ノズルヘッド３を取り囲むとともに、口部１ａの外側に設けたねじ部１ｃに対応するねじ部５ａを有し、容器１に係合保持されている。保持方法はねじ係合に限られず、アンダーカット係合であってもよい。またオーバーキャップ５の上部内側には、スライダー４の環状凸部４ｄに対応する爪部５ｂを備えるとともに、管状体４ｃの内側と当接して位置決めをなすリブ５ｃを備えている。爪部５ｂ、リブ５ｃは、環状であっても一部に切欠きがあってもよい。
【００１７】
上記の構成となる定量注出器において内容物を外界へ抽出するには、まず容器１を正姿勢から図２に示す逆姿勢に反転させる。この時容器１内の内容物は貫通孔２ｂを通して予備空間Ｂに流れ込む。
【００１８】
容器１を図３に示すように正姿勢に戻すと、予備空間Ｂ内の内容物は貯留空間Ａに流れ込む。ノズルヘッド３の筒体３ａの肩部を下方へ傾斜させることで、予備空間Ｂ内の内容物が筒体３ａの肩部から側部を伝って貯留空間Ａに流れ込み易くなるのでより好ましい。貯留空間Ａからあふれた内容物は、貫通孔２ｂを通して容器１内に戻されるので、内容物が累積して溜まっていくことがない。
【００１９】
続いて図３に示すオーバーキャップ５を容器１から取り外す。取り外し前においてオーバーキャップ５の爪部５ｂは、スライダー４の環状凸部４ｄに係合しているため、オーバーキャップ５の取り外しに伴いスライダー４も引き上げられ、図４に示すスライダー上方位置まで上昇することとなる。
【００２０】
オーバーキャップ５を取り外した状態で、図５に示すように容器１を傾けると、計量された貯留空間Ａ内の内容物はスライダー４の貫通孔４ｅを通して管状体４ｃの内部に導入されて、管状体４ｃの頭部先端の注出開口４ｆから外界へ注出される。この時貫通孔２ｂは弁体４ｂによって閉鎖されており、容器内の内容物が外部に漏れ出すことはないため、毎回決まった量が注出されることになる。また容器１を傾けるだけで内容物を注出できるので、操作が簡便となり、注出部が被塗布部に直接触れることもない。
【００２１】
注出後容器を元の姿勢に戻すと、スライダー４はスライダー上方位置まで上昇した状態になっているが、オーバーキャップ５の取り付けに当たっては、オーバーキャップ５の内壁がスライダー４の頭部と当接してスライダー４を下方へ押し下げることができるので、部材の破損につながることはない。
【産業上の利用可能性】
【００２２】
本発明によれば、簡便な操作のもとで計量を行うことが可能で、計量に係わる内容物のみを確実にしかも簡単に注出可能となる、新規な定量注出器を安定的に供給できる。
【符号の説明】
【００２３】
１    容器
１ａ  口部
１ｂ  突起
１ｃ  ねじ部
２    基体
２ａ  底壁
２ｂ  貫通孔
２ｃ  中央開口
２ｄ  中央周壁
２ｅ  側壁
２ｆ  環状体
２ｇ  外側周壁
３    ノズルヘッド
３ａ  筒体
３ｂ  上部開口
３ｃ  外側周壁
３ｄ  爪部
４    スライダー
４ａ  スライダー本体
４ｂ  弁体
４ｂ１  シール壁面
４ｃ  管状体
４ｄ  環状凸部
４ｅ  貫通孔
４ｆ  注出開口
５    オーバーキャップ
５ａ  ねじ部
５ｂ  爪部
５ｃ  リブ
Ａ    貯留空間
Ｂ    予備空間
【図１】
2011178414.tif 000003
【図２】
2011178414.tif 000004
【図３】
2011178414.tif 000005
【図４】
2011178414.tif 000006
【図５】
2011178414.tif 000007